(57)【要約】【課題】一連の画像を連続して見る場合における、映像のチラつきを抑制する【解決手段】表示装置（１）は、複数のエリアの明るさを個別に制御可能なバックライト（２０）と、バックライト（２０）を制御するバックライト制御部（１２）とを備え、バックライト制御部（１２）は、対象画像を表示する場合の対象エリアの明るさを、対象画像の前の画像を表示したときの対象エリアの明るさ、及び、対象エリアにおける対象画像の輝度に応じて決定する。【選択図】図１
2018112717.tif 000002
【特許請求の範囲】
【請求項１】
一連の画像を表示することによって動画像を表示する表示装置において、
複数のエリアから構成され、当該複数のエリアの明るさを個別に制御可能なバックライトと、
上記バックライトを制御するバックライト制御部と
を備え、
上記バックライト制御部は、
対象画像を表示する場合の対象エリアの明るさを、
当該対象画像の前の画像を表示したときの当該対象エリアの明るさ、及び、
当該対象エリアにおける当該対象画像の輝度
に応じて決定することを特徴とする表示装置。
【請求項２】
上記バックライト制御部は、
上記対象画像を表示する場合の上記対象エリアの明るさと、当該対象画像の前の画像を表示したときの当該対象エリアの明るさとの変化量が所定の値以下となるように制御する
ことを特徴とする請求項１に記載の表示装置。
【請求項３】
当該表示装置は、上記一連の画像として、第１視点用の一連の画像及び第２視点用の一連の画像を交互に表示することによって立体視可能な動画像を表示するものである
ことを特徴とする請求項１又は２に記載の表示装置。
【請求項４】
上記バックライト制御部は、
上記対象画像の前の画像を表示したときの当該対象エリアの明るさとして、上記対象画像の直前の画像を表示したときの当該対象エリアの明るさを参照する
ことを特徴とする請求項１から３の何れか１項に記載の表示装置。
【請求項５】
ユーザからの操作を受け付けるユーザ操作受付部を更に備え、
上記バックライト制御部は、上記ユーザ操作に応じて、
上記対象画像を表示する場合の対象エリアの明るさを、
当該対象画像の前の画像を表示したときの当該対象エリアの明るさ、及び、
当該対象エリアにおける当該対象画像の輝度
に応じて決定することを特徴とする請求項１から４の何れか１項に記載の表示装置。
【請求項６】
ユーザが３Ｄメガネを装着しているか否かを判別する判別部を更に備え、
上記バックライト制御部は、上記判別部による判別結果に応じて、
上記対象画像を表示する場合の対象エリアの明るさを、
当該対象画像の前の画像を表示したときの当該対象エリアの明るさ、及び、
当該対象エリアにおける当該対象画像の輝度
に応じて決定することを特徴とする請求項１から４の何れか１項に記載の表示装置。
【請求項７】
上記判別部は、上記３Ｄメガネが上記動画像を立体視可能なオン状態と、上記動画像を立体視不可能なオフ状態とのいずれの状態であるかを示す信号を参照して上記ユーザが上記３Ｄメガネを装着しているか否かを判別する
ことを特徴とする請求項６に記載の表示装置。
【請求項８】
上記判別部は、上記ユーザの画像を参照して上記ユーザが上記３Ｄメガネを装着しているか否かを判別する
ことを特徴とする請求項６に記載の表示装置。
【請求項９】
上記一連の画像は、ＨＤＲ（High Dynamic Range）規格に準拠した画像である
ことを特徴とする請求項１から８の何れか１項に記載の表示装置。
【請求項１０】
請求項１〜９の何れか１項に記載の表示装置を備えている
ことを特徴とするテレビジョン受像機。
【請求項１１】
一連の画像を表示することによって動画像を表示する表示方法において、
複数のエリアから構成され、当該複数のエリアの明るさを個別に制御可能なバックライトを制御するバックライト制御ステップを包含し、
上記バックライト制御ステップは、
対象画像を表示する場合の対象エリアの明るさを、
当該対象画像の前の画像を表示したときの当該対象エリアの明るさ、及び、
当該対象エリアにおける当該対象画像の輝度
に応じて決定するステップを含むことを特徴とする表示方法。
【請求項１２】
請求項１に記載の表示装置としてコンピュータを機能させるための制御プログラム。
【請求項１３】
請求項１２に記載の制御プログラムを記録したコンピュータ読み取り可能な記録媒体。
【発明の詳細な説明】
【技術分野】
【０００１】
本発明は、立体映像を表示する表示装置などに関する。
【背景技術】
【０００２】
近年、立体映像（以下、３Ｄ（3-Dimension）映像と称する）を表示するテレビジョン技術が開発され、実現されている。この種の３Ｄ技術としては、フレームパッキング（Frame Packing）方式、サイドバイサイド（Side By Side）方式、及びトップアンドボトム（Top And Bottom）方式が知られている。
【０００３】
フレームパッキング方式は、左目用の映像信号（Ｌ用映像信号）と右目用の映像信号（Ｒ用映像信号）とを交互に送信し、テレビジョン受信機（以下、単にＴＶ受信機と称する）において、それら両映像信号を交互に表示するものである。
【０００４】
サイドバイサイド方式は、ＴＶ受信機の画面を左右に２分割するＬ用映像信号とＲ用映像信号とを使用するものである。具体的には、ＴＶ受信機において画面を左右に２分割し、Ｌ用映像信号とＲ用映像信号とを引き伸ばして交互に表示する。
【０００５】
トップアンドボトム方式は、ＴＶ受信機の画面を上下に２分割するTop用映像信号とBottom用映像信号とを使用するものである。具体的には、ＴＶ受信機において画面を上下に２分割し、Top用映像信号とBottom用映像信号とを引き伸ばして交互に表示する。
【０００６】
いずれの場合においても、３Ｄ映像を表示する時には、Ｌ用映像信号とＲ用映像信号とが交互に画面に表示される。画面の表示と３Ｄメガネとを連動させて、Ｌ用映像信号を左目のみ、Ｒ用映像信号を右目のみで見えるようにすることで、３Ｄ映像を見ることが可能になる。３Ｄメガネの主な例としては、液晶シャッターメガネが挙げられる。
【０００７】
一方、表示装置の表示領域を複数のエリアに区画し、エリアごとにバックライトの明るさを制御する、ローカルディミングと呼ばれる技術が開発されている。ローカルディミングによれば、表示画像において輝度の高い部分に対応するエリアを明るくし、輝度の低い部分に対応するエリアを暗くする。これにより、バックライトの消費電力を低減できるとともに、映像のコントラストを向上させることができる。
【０００８】
ところで、映像の隣接するフレーム間での、バックライトの明るさの変動が大きいと、映像にチラつきが発生する。チラつきを抑制する方法としては、上記の明るさの変動が小さくなるように当該明るさを調整することが挙げられる。
【０００９】
しかし、３Ｄ映像においては、隣接するフレームは、互いに異なるＬ用映像信号またはＲ用映像信号のフレームである。このため、３Ｄ映像においては、隣接するフレーム間での明るさの変動が小さくなるように調整することは適切ではない。
【００１０】
特許文献１には、ローカルディミングを行う表示装置により３Ｄ映像を表示する場合において、チラつきを低減し、かつ高コントラストを実現する技術が開示されている。当該技術においては、まず、処理対象の視差画像（Ｌ用映像信号またはＲ用映像信号の、あるフレーム）の画素値に基づいて、光源（バックライト）の第１の強度を求める。次に、処理対象の視差画像と同じ視点であり、処理対象の視差画像より前に表示される映像信号における光源強度と、第１の強度との変動が小さくなるように当該第１の強度を補正する。
【先行技術文献】
【特許文献】
【００１１】
【特許文献１】ＷＯ２０１１／０１３１７５号公報（２０１１年２月３日公開）
【発明の概要】
【発明が解決しようとする課題】
【００１２】
しかしながら、３Ｄメガネを装着していない人物が３Ｄ映像を見る場合、その人物は、Ｌ用映像信号及びＲ用映像信号を、交互に連続して見ることとなる。特許文献１に開示されている技術では、３Ｄメガネを装着していない人物に対するチラつきは低減されない。このことについて以下に説明する。
【００１３】
３Ｄ映像を表示する表示装置がローカルディミングを行う場合において、
（ｉ）画像の輝度が周囲の領域と比較して高く、かつ、
（ｉｉ）当該画像がＬ用映像信号とＲ用映像信号とで、上記複数の領域のうち互いに異なる領域に表示される、
といった場合には、バックライトが明るい領域が、３Ｄ映像のフレームごとに変化することとなる。３Ｄ映像を表示する表示装置において、視聴者の手前側に見えるように表示される物体の画像の、画面上における表示位置は、Ｌ用映像信号とＲ用映像信号とで大きく異なる。したがって、視聴者の手前側に見えるように表示される、輝度の高い物体の画像が３Ｄ映像に含まれている場合、上記の人物は激しく明滅する光を目にすることとなる。
【００１４】
また、表示画質を高画質化する技術の１つとして、ＨＤＲ（High DynamicRange）技術がある。ＨＤＲ技術において用いられるＨＤＲ信号は、１００００ｎｉｔ（ｃｄ／ｍ２）程度の輝度情報を持つことができる。このため、ＨＤＲ技術を用いることにより、画像の高輝度・高コントラスト化が可能となり、映像の迫力を増大させることが可能となる。例えば、Blu-ray（登録商標） DiscではＨＤＲ技術が採用されている。
【００１５】
このようなＨＤＲ技術を３Ｄ映像に適用した場合、輝度情報の上限が高くなることで、上述した、３Ｄメガネを装着していない人物が目にする明滅が更に激しくなる虞がある。このため、現在実用化されている、３Ｄ映像を表示可能な表示装置においては、３Ｄ映像を表示する場合にはＨＤＲ技術を適用しないなどの対策が取られている。
【００１６】
また、一般的な平面画像においても、例えば、白一面の画面から黒一面の画面になるときに、激しく明滅する光を視聴者は目にすることになり、当該激しく明滅する光に基づく映像のチラつきの抑制が求められている。
【００１７】
本発明の一態様は、一連の画像を連続して見る場合における、映像のチラつきを抑制することを目的とする。
【課題を解決するための手段】
【００１８】
上記の課題を解決するために、本発明の一態様に係る表示装置は、一連の画像を表示することによって動画像を表示する表示装置において、複数のエリアから構成され、当該複数のエリアの明るさを個別に制御可能なバックライトと、上記バックライトを制御するバックライト制御部とを備え、上記バックライト制御部は、対象画像を表示する場合の対象エリアの明るさを、当該対象画像の前の画像を表示したときの当該対象エリアの明るさ、及び、当該対象エリアにおける当該対象画像の輝度に応じて決定することを特徴とする。
【００１９】
上記の課題を解決するために、本発明の一態様に係る表示方法は、一連の画像を表示することによって動画像を表示する表示方法において、複数のエリアから構成され、当該複数のエリアの明るさを個別に制御可能なバックライトを制御するバックライト制御ステップを包含し、上記バックライト制御ステップは、対象画像を表示する場合の対象エリアの明るさを、当該対象画像の前の画像を表示したときの当該対象エリアの明るさ、及び、当該対象エリアにおける当該対象画像の輝度に応じて決定するステップを含むことを特徴とする。
【発明の効果】
【００２０】
本発明の一態様によれば、一連の画像を連続して見る場合における、映像のチラつきを抑制することができるという効果を奏する。
【図面の簡単な説明】
【００２１】
【図１】実施形態１に係る表示装置の構成を示すブロック図である。
【図２】実施形態１に係る液晶テレビの外観を示す図である。
【図３】（ａ）は、バックライトにおける複数のエリアの一例を示す図であり、（ｂ）は、液晶パネルに表示される左目用画像の例を示す図であり、（ｃ）は、液晶パネルに表示される右目用画像の例を示す図であり、（ｄ）は、（ｂ）に示した左目用画像に対応する、一般的な制御によるバックライトの各エリアの明るさを示す図であり、（ｅ）は、（ｃ）に示した右目用画像に対応する、一般的な制御によるバックライトの各エリアの明るさを示す図である。
【図４】実施形態１に係るバックライト制御部の構成を示すブロック図である。
【図５】実施形態１に係るバックライト制御部により制御されるバックライトの対象エリアの明るさを説明するための図である。
【図６】実施形態１に係るバックライト制御部における処理の流れを示すフローチャートである。
【図７】実施形態２に係るバックライト制御部の構成を示すブロック図である。
【図８】実施形態２に係るバックライト制御部における処理の流れを示すフローチャートである。
【図９】実施形態３に係るバックライト制御部の構成を示すブロック図である。
【発明を実施するための形態】
【００２２】
〔実施形態１〕
以下、本発明の実施の形態について、図１〜図６を参照して詳細に説明する。
【００２３】
（液晶テレビ１００の構成）
図２は、本実施形態に係る液晶テレビ（テレビジョン受像機）１００の外観を示す図である。液晶テレビ１００は、表示装置１及びチューナ（不図示）を備える。表示装置１は、左目用画像（一連の画像、第１視点用の一連の画像）及び右目用画像（一連の画像、第２視点用の一連の画像）を交互に表示することによって立体視可能な動画像を表示する表示装置である。表示装置１が表示する動画像は、例えばＨＤＲ規格に準拠した動画像であってよい。
【００２４】
図１は、本実施形態に係る表示装置１の構成を示すブロック図である。図１に示すように、表示装置１は、液晶パネル１０と、バックライト２０と、表示制御部１１と、バックライト制御部１２とを備える。
【００２５】
液晶パネル１０は、複数の走査ラインを備えている。各走査ラインは複数の画素を備えている。走査ラインの本数及び各走査ラインにおける画素の個数は本実施形態を限定するものではない。例えば、所謂４Ｋテレビとして液晶テレビ１００を実現する場合、走査ラインの本数は２１６０本であり、各走査ラインにおける画素の数は３８４０個である。
【００２６】
液晶パネル１０は、図１に示すように、矩形の表示領域を有する。以下の説明では、液晶パネル１０の長手方向を横方向、短手方向を縦方向と称する。横方向は、ユーザが液晶テレビ１００を視聴する場合において想定される、両目の間を結ぶ方向と一致する。なお、本発明の一態様においては、表示領域は矩形以外の形状を有していてもよい。
【００２７】
バックライト２０は、液晶パネル１０に対して光を照射する、直下型のバックライトである。バックライト２０は、複数のエリアから構成され、当該複数のエリアの明るさを個別に制御可能に構成されている。具体的には、バックライト２０は、エリア毎に少なくとも１つの光源（例えばＬＥＤ（Light Emitting Diode））を備えている。各光源の点灯タイミング及び光量は、バックライト制御部１２によって制御される。以下の説明では、バックライト２０が備える光源がＬＥＤであるとして説明する。ただし、本発明の一態様において、バックライト２０は、ＬＥＤ以外の光源を備えていてもよい。
【００２８】
図３の（ａ）は、バックライト２０における複数のエリアの一例を示す図である。図３の（ａ）に示す例では、バックライト２０は、縦に５行、横に５列の、同一の矩形形状を有する合計２５のエリアから構成されている。なお、バックライト２０は、２５とは異なる数のエリアから構成されていてもよい。また、各エリアの形状は、矩形形状でなくてもよく、また互いに異なっていてもよい。
【００２９】
図３の（ｂ）は、液晶パネル１０に表示される左目用画像の例を示す図である。図３の（ｃ）は、液晶パネル１０に表示される右目用画像の例を示す図である。図３の（ｄ）は、図３の（ｂ）に示した左目用画像に対応する、一般的な制御によるバックライト２０の各エリアの明るさを示す図である。図３の（ｅ）は、図３の（ｃ）に示した右目用画像に対応する、一般的な制御によるバックライト２０の各エリアの明るさを示す図である。
【００３０】
図３の（ｂ）及び（ｃ）は、薄暗い室内における、火がついたロウソクの画像を示している。図３の（ｂ）及び（ｃ）に示す画像においては、ロウソクの火の部分の輝度が最も高く、ロウソクの本体の部分の輝度が次に高い。それ以外の部分の輝度は、ロウソクの火及び本体の部分の輝度と比較して低くなっている。
【００３１】
図３の（ｂ）に示した左目用画像が液晶パネル１０に表示される場合、一般的な制御によれば、図３の（ｄ）に示すバックライト２０において、ロウソクの火の部分に対応するエリアＡ１が最も明るく発光する。また、ロウソクの本体の部分に対応するエリアＡ２が、エリアＡ１の次に明るく発光する。エリアＡ１及びＡ２以外のエリアは、エリアＡ１及びＡ２よりも暗く発光する。
【００３２】
同様に、図３の（ｃ）に示した右目用画像が液晶パネル１０に表示される場合、一般的な制御によれば、図３の（ｅ）に示すバックライト２０において、ロウソクの火の部分に対応するエリアＡ３が最も明るく発光する。また、ロウソクの本体の部分に対応するエリアＡ４が、エリアＡ３の次に明るく発光する。エリアＡ３及びＡ４以外のエリアは、エリアＡ３及びＡ４よりも暗く発光する。
【００３３】
表示制御部１１は、入力される映像信号に基づき、液晶パネル１０が有する走査ライン毎に順次画像の書き込みを行う。ここで画像の書き込みとは、各走査ラインにおける画素に対して、当該画素における画像に対応したデータ信号を供給することを指す。
【００３４】
バックライト制御部１２は、バックライト２０を制御する。具体的には、バックライト制御部１２は、バックライト２０が有する各光源の点灯タイミング及び点灯周期等を制御する。
【００３５】
（バックライト制御部１２の構成）
図４は、バックライト制御部１２の構成を示すブロック図である。図４に示すように、バックライト制御部１２は、点灯制御部５、電流算出部６、デューティ比算出部７、ＬＥＤコントローラ８、及び複数のＬＥＤドライバ９を備えている。
【００３６】
点灯制御部５は、映像信号を参照し、バックライト２０を構成する各エリアにおけるバックライト２０の点灯周期を設定する。また、点灯制御部５は、表示制御部１１から供給される、各走査ラインの書き込みタイミングを示す書き込みタイミング信号を参照し、各エリアにおけるバックライト２０の点灯タイミングを設定する。
【００３７】
また、点灯制御部５は、入力される映像信号が３Ｄ映像の映像信号であるか判定する。入力される映像信号が３Ｄ映像の映像信号である場合には、点灯制御部５は、左目用画像に含まれる第１画像（対象画像）、及び、第１画像に対応する画像であって、右目用画像に含まれる第２画像（対象画像）のそれぞれについて、対象エリアを特定する。そして、点灯制御部５は、対象画像を表示する場合の対象エリアの明るさを、当該対象画像の前の画像を表示したときの当該対象エリアの明るさ、及び、当該対象エリアにおける当該対象画像の輝度に応じて決定する。そして、点灯制御部５は、対象画像を表示する場合の対象エリアの明るさと、当該対象画像の前の画像を表示したときの当該対象エリアの明るさとの変化量が所定の値以下となるように、当該対象エリアの明るさを制御する。
【００３８】
ここで、各ＬＥＤの明るさは、上記点灯周期に応じて変化する。本実施形態では、各ＬＥＤは、点灯周期が同じであれば同じ明るさにて発光するよう構成されている。したがって、上記の構成により、点灯制御部５は、対象エリアにおけるバックライト２０の点灯周期を設定することにより、当該対象エリアの明るさを制御する。
【００３９】
点灯制御部５は、エリアごとのバックライト２０の点灯周期及び点灯タイミングを示す信号を、電流算出部６、デューティ比算出部７、及びＬＥＤコントローラ８に出力する。
【００４０】
電流算出部６は、点灯制御部５からエリアごとのバックライト２０の点灯周期及び点灯タイミングを取得し、当該点灯周期及び点灯タイミングを参照して、エリアごとのバックライト２０の電流値を算出する。ここで言う「電流値」とは、電流のパルス波形における高さのことであり、エリアごとに異なる。電流算出部６は、エリアごとのバックライト２０の電流値を、デューティ比算出部７及びＬＥＤコントローラ８に出力する。
【００４１】
デューティ比算出部７は、点灯制御部５からエリアごとのバックライト２０の点灯周期及び点灯タイミングを取得し、電流算出部６からエリアごとのバックライト２０の電流値を取得する。デューティ比算出部７は、当該点灯周期、当該点灯タイミング、及び、当該電流値を参照して、エリアごとのバックライト２０のデューティ比を算出する。ここで言う「デューティ比」とは、電流のパルス波形におけるパルス幅の割合のことであり、エリアごとに異なる。１００％のパルス幅は、予め決められている。デューティ比算出部７は、エリアごとのバックライト２０のデューティ比をＬＥＤコントローラ８に出力する。
【００４２】
ＬＥＤコントローラ８は、点灯制御部５からエリアごとのバックライト２０の点灯周期、及び点灯タイミングを取得する。さらに、ＬＥＤコントローラ８は、電流算出部６からエリアごとのバックライト２０の電流値を取得し、デューティ比算出部７からエリアごとのバックライト２０のデューティ比を取得する。ＬＥＤコントローラ８は、当該点灯周期、当該点灯タイミング、当該電流値、及び、当該デューティ比を参照して、ＬＥＤドライバ９に供給するための駆動信号を生成する。
【００４３】
ＬＥＤドライバ９は、バックライト２０のエリアごとにＬＥＤコントローラ８から提供された駆動信号に基づき、エリアごとのＬＥＤを駆動する。
【００４４】
バックライト制御部１２は、以上の構成により、入力される映像信号が３Ｄ映像の映像信号である場合には以下の通り動作する。すなわち、バックライト制御部１２は、一連の画像を表示することによって動画像を表示する場合において、対象画像を表示する場合のバックライト２０の対象エリアの明るさを、当該対象画像の前の画像を表示したときの当該対象エリアの明るさ、及び、当該対象エリアにおける当該対象画像の輝度に応じて決定する。そして、バックライト制御部１２は、上記対象画像を表示する場合の上記対象エリアの明るさと、当該対象画像の前の画像を表示したときの当該対象エリアの明るさとの変化量が所定の値以下となるように、上記対象画像を表示する場合の上記対象エリアの明るさを制御する。
【００４５】
（対象エリアの明るさの制御）
図５は、実施形態１に係るバックライト制御部１２により制御されるバックライト２０の対象エリアの明るさを説明するための図である。液晶パネル１０には、Ｌ画像とＲ画像とが交互に表示される。図５に示す例では、Ｌ画像１、Ｒ画像１、Ｌ画像２、Ｒ画像２、Ｌ画像３、Ｒ画像３の順番に表示される。また、バックライト２０が２行３列の６個のエリアから構成され、各エリアの明るさを個別に制御可能である例が示されている。２行目の２列目のエリアが対象エリアであるとして説明する。
【００４６】
まず、比較例を説明する。
【００４７】
対象エリアは、当該対象エリアにおける当該対象画像の輝度に応じた発光強度で発光する。図５に示す例では、まず、対象エリアは、Ｌ画像１を表示する時に、当該Ｌ画像１の対象エリアの輝度に応じた発光強度１０で発光する。そして、Ｒ画像１を表示する時に、当該Ｒ画像１の対象エリアの輝度に応じた発光強度１０で対象エリアが発光する。次に、Ｌ画像２を表示する時に、当該Ｌ画像２の対象エリアの輝度に応じた発光強度５０で対象エリアが発光する。その後、Ｒ画像２を表示する時に、当該Ｒ画像２の対象エリアの輝度に応じた発光強度１０で対象エリアが発光する。
【００４８】
そして、Ｌ画像３を表示する時に、当該Ｌ画像３の対象エリアの輝度に応じた発光強度９０で対象エリアが発光する。次に、Ｒ画像３を表示する時に、当該Ｒ画像３の対象エリアの輝度に応じた発光強度１０で対象エリアが発光する。
【００４９】
このように、Ｒ画像２からＬ画像３になるとき、対象エリアの発光強度が１０から９０と急激に変化する。このため、激しく明滅する光を視聴者は目にすることになる。
【００５０】
次に、本実施形態を説明する。
【００５１】
本実施形態では、図５に示すように、Ｌ画像３を表示する時に、Ｌ画像３（対象画像）の前のＲ画像２を表示したときの当該対象エリアの発光強度１０、及び、当該対象エリアにおける当該Ｌ画像３（対象画像）の輝度に応じて、Ｌ画像３を表示する場合の対象エリアの発光強度を６０に決定する。具体的には、Ｌ画像３を表示する場合の上記対象エリアの発光強度と、当該対象画像の前のＲ画像２を表示したときの当該対象エリアの発光強度１０との間の変化量が所定の値以下となるように、点灯制御部５はＬ画像３の対象エリアの発光強度を制御する。図５に示す例では、発光強度の変化量が、発光強度の最大値の１００の５０％を超えたら、変化量が５０％に制限され、Ｌ画像３の対象エリアの発光強度が６０になる例が示されている。
【００５２】
そして、Ｒ画像３を表示する時に、当該Ｒ画像３の対象エリアの輝度に応じた発光強度１０で対象エリアは発光する。
【００５３】
このように本実施形態では、交互に表示される左右の画像用のバックライト２０の輝度のサブフレーム間の変化量が一定値以下に制限される。上記輝度のサブフレーム間の変化量は５０％以下に制限することが好ましい。上記変化量を例えば２５％以下のような低い値に制限すると、映像のコントラストが低下するので好ましくない。
【００５４】
（バックライト制御部１２における処理）
図６は、バックライト制御部１２における処理の流れを示すフローチャートである。図６に示すように、バックライト制御部１２において、点灯制御部５は、映像信号を参照し、バックライト２０を構成する各エリアにおけるバックライト２０の点灯周期及び点灯タイミングを設定する。（Ｓ１）。次に、点灯制御部５は、映像信号が３Ｄ映像の映像信号であるか判定する（Ｓ２）。
【００５５】
映像信号が３Ｄ映像の映像信号である場合（Ｓ２でＹＥＳ）、点灯制御部５は、対象画像を表示する場合の対象エリアの明るさを、当該対象画像の前の画像を表示したときの当該対象エリアの明るさ、及び、当該対象エリアにおける当該対象画像の輝度に応じて決定する。そして、点灯制御部５は、対象画像を表示する場合の上記対象エリアの明るさと、当該対象画像の前の画像を表示したときの当該対象エリアの明るさとの変化量が所定の値以下となるように、対象画像の対象エリアの明るさを制御する（Ｓ３）。
【００５６】
電流算出部６は、エリアごとのバックライト２０の点灯周期及び点灯タイミングを参照して、エリアごとのバックライト２０の電流値を算出する（Ｓ７）。デューティ比算出部７は、エリアごとのバックライト２０の点灯周期、点灯タイミング、及び電流値を参照して、エリアごとのバックライト２０のデューティ比を算出する（Ｓ８）。ＬＥＤコントローラ８は、エリアごとのバックライト２０の点灯周期、点灯タイミング、電流値、及びデューティ比を参照して、ＬＥＤドライバ９に供給するための駆動信号を生成する（Ｓ９）。ＬＥＤドライバ９は、ＬＥＤコントローラ８が生成した駆動信号に基づき、エリアごとのＬＥＤを駆動する（Ｓ１０）。
【００５７】
一方、映像信号が３Ｄ映像の映像信号でない場合（Ｓ２でＮＯ）、点灯制御部５は、ステップＳ３の処理をスキップする。この場合、電流算出部６、デューティ比算出部７、ＬＥＤコントローラ８、及びＬＥＤドライバ９はそれぞれ、各エリアに対応する映像信号の輝度に基づいて設定された、バックライト２０の点灯周期などに基づいて、ステップＳ７〜Ｓ１０の処理を実行する。
【００５８】
なお、図６に示したフローチャートでは、点灯制御部５は、各エリアにおけるバックライト２０の点灯周期及び点灯タイミングを設定し、その後に映像信号が３Ｄ映像のものであるか判定している。しかし、点灯制御部５は、映像信号が３Ｄ映像のものであるかを先に判定し、その後に各エリアにおけるバックライト２０の点灯周期及び点灯タイミングを設定してもよい。
【００５９】
（効果）
本実施形態によれば、Ｌ画像３を表示する場合の対象エリアの発光強度と、Ｌ画像３の前のＲ画像２を表示したときの当該対象エリアの発光強度との間の変化量が所定の値以下となるように、Ｌ画像３の対象エリアの発光強度が制御される。この結果、一連の画像を連続して見る場合において、激しく明滅する光に基づく映像のチラつきを抑制することができる。
【００６０】
（変形例）
上述した実施形態では、本発明の一態様に係る表示装置１は、液晶テレビ１００備えられていた。しかし、本発明の一態様に係る表示装置１は、例えばスマートフォンまたは他のモバイル端末といった、バックライトを備える画面を有する情報端末に備えられてもよい。
【００６１】
また、上述した実施形態では、上記変化量が所定の値以下となるようにＬ画像３の対象エリアの発光強度を制御する処理を、映像信号が３Ｄ信号である場合に実行する例を示した。しかしながら、本発明はこれに限定されない。上記Ｌ画像３の対象エリアの発光強度を制御する処理は、一般的な平面画像に対して実行しても良い。後述する実施形態も同様である。
【００６２】
〔実施形態２〕
本発明の他の実施形態について、図７及び図８を参照して以下に説明する。
【００６３】
（バックライト制御部１２Ｂの構成）
図７は、本実施形態に係るバックライト制御部１２Ｂの構成を示すブロック図である。バックライト制御部１２Ｂは、バックライト制御部１２の構成に加えて、判別部４を更に備える。
【００６４】
判別部４は、動画像を立体視するための３Ｄメガネ３０をユーザが装着しているか否かを判別する。本実施形態では、３Ｄメガネ３０は、動画像を立体視可能なオン状態と、動画像を立体視不可能なオフ状態とを切り換え可能である。また、３Ｄメガネ３０は、オン状態またはオフ状態のいずれの状態であるかを示す信号を出力可能である。
【００６５】
判別部４は、３Ｄメガネが出力した信号を参照して、ユーザが３Ｄメガネ３０を装着しているか否かを判別する。具体的には、判別部４は、３Ｄメガネ３０がオン状態であることを示す信号を受信部により受信した場合に、ユーザが３Ｄメガネ３０を装着していると判別する。逆に、判別部４は、３Ｄメガネ３０がオフ状態であることを示す信号を受信部により受信した場合に、ユーザが３Ｄメガネ３０を装着していないと判別する。バックライト制御部１２Ｂは、判別部４による判別結果に応じて、対象画像を表示する場合の対象エリアの明るさを、当該対象画像の前の画像を表示したときの当該対象エリアの明るさ、及び、当該対象エリアにおける当該対象画像の輝度に応じて決定する。
【００６６】
（バックライト制御部１２Ｂにおける処理）
図８は、バックライト制御部１２Ｂにおける処理の流れを示すフローチャートである。図８に示すように、バックライト制御部１２Ｂにおける処理は、バックライト制御部１２における処理と比較して、ステップＳ２の前にステップＳ１１を実行する点で相違する。
【００６７】
バックライト制御部１２Ｂにおいては、まず、バックライト制御部１２における処理と同様、点灯制御部５がバックライト２０を構成する各エリアにおけるバックライト２０の点灯周期及び点灯タイミングを設定する（Ｓ１）。次に、判別部４が、ユーザが３Ｄメガネ３０を装着しているか否か判別する（Ｓ１１）。
【００６８】
判別部４が、ユーザが３Ｄメガネ３０を装着していないと判別した場合（Ｓ１１でＮＯ）、バックライト制御部１２Ｂは、バックライト制御部１２と同様に、ステップＳ２以降の処理を実行する。一方、判別部４が、ユーザが３Ｄメガネ３０を装着していると判別した場合（Ｓ１１でＹＥＳ）、バックライト制御部１２Ｂは、ステップＳ２〜Ｓ３の処理をスキップして、ステップＳ７〜Ｓ１０の処理を実行する。
【００６９】
（効果）
ユーザが３Ｄメガネ３０を装着している場合には、実施形態１などで説明したチラつき低減のための処理を実行しなくても、ユーザが見る映像にチラつきが発生する虞は小さい。そこで、バックライト制御部１２Ｂは、ユーザが３Ｄメガネ３０を装着していると判別部４が判別した場合には、３Ｄメガネ３０を装着していないユーザに対するチラつき低減のための処理を実行しない。これにより、バックライト制御部１２Ｂは、ユーザが３Ｄメガネ３０を装着している場合における処理量を、バックライト制御部１２における処理量と比較して削減できる。
【００７０】
（変形例）
上述した例では、判別部４は、３Ｄメガネ３０のオン状態及びオフ状態を示す信号の両方を参照して、ユーザが３Ｄメガネ３０を装着しているか判別した。しかし、判別部４は、３Ｄメガネ３０のオン状態及びオフ状態を示す信号のいずれか一方のみを参照して、ユーザが３Ｄメガネ３０を装着しているか判別してもよい。
【００７１】
例えば、判別部４が３Ｄメガネ３０のオン状態を示す信号のみを参照する場合、判別部４は、３Ｄメガネ３０のオン状態を示す信号を受信している場合にユーザが３Ｄメガネ３０を装着していると判別する。一方、判別部４は、３Ｄメガネ３０のオン状態を示す信号を受信していない場合にユーザが３Ｄメガネ３０を装着していないと判別する。
【００７２】
また、上述した例では、判別部４は、３Ｄメガネ３０のオン状態またはオフ状態を示す信号を参照して、ユーザが３Ｄメガネ３０を装着しているか判別した。しかし、本発明の一態様においては、判別部４は、上記信号とは別の情報を参照してユーザが３Ｄメガネ３０を装着しているか判別してもよい。
【００７３】
例えば、判別部４は、ユーザの光学画像を参照してユーザが３Ｄメガネ３０を装着しているか判別してもよい。この場合、判別部４を備える液晶テレビは、ユーザの光学画像を撮像する撮像装置を備えるか、またはユーザの光学画像を撮像する撮像装置と接続されている。判別部４は、上記撮像装置により撮像されたユーザの光学画像を参照し、画像認識により３Ｄメガネ３０を装着しているか判別すればよい。
【００７４】
また、本実施形態に係る液晶テレビに、複数のユーザが存在することが考えられる。複数のユーザのうち一部が３Ｄメガネ３０を装着していることを判別部４が判別した場合、他のユーザが３Ｄメガネ３０を装着していない場合であっても、バックライト制御部１２Ｂは、図８におけるステップＳ２以降の処理を実行しない虞がある。
【００７５】
そこで、本実施形態に係る液晶テレビは、近傍に存在する人物を検出する人感センサを更に備えていてもよい。この場合、判別部４は、人感センサによる人物の検出と、上述した信号または画像などによる、ユーザが３Ｄメガネ３０を装着しているか否かの判別とを組み合わせることで、３Ｄメガネ３０を装着していないユーザの有無を判別することができる。
【００７６】
また、上述したバックライト制御部１２Ｂは、バックライト制御部１２に判別部４が追加された構成を有する。
【００７７】
〔実施形態３〕
本発明の他の実施形態について、図９を参照して以下に説明する。
【００７８】
（バックライト制御部１２Ｃの構成）
図９は、本実施形態に係るバックライト制御部１２Ｃの構成を示すブロック図である。バックライト制御部１２Ｃは、バックライト制御部１２の構成に加えて、操作受付部３（ユーザ操作受付部）をさらに備える。
【００７９】
操作受付部３は、ユーザからの操作を受け付ける。本実施形態では、操作受付部３が受け付ける操作は、実施形態１などで説明したステップＳ２〜Ｓ３までの処理をバックライト制御部１２Ｃに実行させるか否かを選択する操作を含む。バックライト制御部１２Ｃは、操作受付部３が受け付けたユーザ操作に応じて、対象画像を表示する場合の対象エリアの明るさを、対象画像の前の画像を表示したときの当該対象エリアの明るさ、及び、当該対象エリアにおける当該対象画像の輝度に応じて決定する。
【００８０】
（効果）
バックライト制御部１２Ｃによれば、３Ｄメガネ３０を装着していないユーザに対するチラつき低減のための処理を実行するか否かを、ユーザが任意に決定することができる。
【００８１】
〔ソフトウェアによる実現例〕
表示装置１の制御ブロック（特に表示制御部１１及びバックライト制御部１２、１２Ｂ、１２Ｃ）は、集積回路（ＩＣチップ）等に形成された論理回路（ハードウェア）によって実現してもよいし、ＣＰＵ（Central Processing Unit）を用いてソフトウェアによって実現してもよい。
【００８２】
後者の場合、表示装置１は、各機能を実現するソフトウェアであるプログラムの命令を実行するＣＰＵ、上記プログラム及び各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８３】
〔まとめ〕
本発明の態様１に係る表示装置（１）は、一連の画像を表示することによって動画像を表示する表示装置であって、複数のエリアから構成され、当該複数のエリアの明るさを個別に制御可能なバックライト（２０）と、上記バックライト（２０）を制御するバックライト制御部（１２・１２Ｂ・１２Ｃ）とを備え、上記バックライト制御部（１２・１２Ｂ・１２Ｃ）は、対象画像を表示する場合の対象エリアの明るさを、当該対象画像の前の画像を表示したときの当該対象エリアの明るさ、及び、当該対象エリアにおける当該対象画像の輝度に応じて決定する。
【００８４】
上記の構成によれば、対象画像を表示する場合の対象エリアの明るさが、当該対象画像の前の画像を表示したときの当該対象エリアの明るさ、及び、当該対象エリアにおける当該対象画像の輝度に応じて決定される。このため、激しく明滅する光を視聴者は目にすることがなくなり、当該激しく明滅する光に基づく映像のチラつきが抑制される。この結果、一連の画像を連続して見る場合における、映像のチラつきを抑制することができる表示装置を提供することができる。
【００８５】
本発明の態様２に係る表示装置（１）は、上記態様１において、上記バックライト制御部（１２・１２Ｂ・１２Ｃ）は、上記対象画像を表示する場合の上記対象エリアの明るさと、当該対象画像の前の画像を表示したときの当該対象エリアの明るさとの変化量が所定の値以下となるように制御してもよい。
【００８６】
上記の構成によれば、明るさの変化量が所定の値以下となるので、激しく明滅する光の発生を防止することができる。
【００８７】
本発明の態様３に係る表示装置（１）は、上記態様１または２において、上記一連の画像として、第１視点用の一連の画像及び第２視点用の一連の画像を交互に表示することによって立体視可能な動画像を表示するものであってもよい。
【００８８】
上記の構成によれば、３Ｄ映像を見るための３Ｄメガネを装着していない人物に対しても、映像のチラつきを抑制することができる。
【００８９】
本発明の態様４に係る表示装置（１）は、上記態様１から３の何れか１態様において、上記バックライト制御部（１２）は、上記対象画像の前の画像を表示したときの当該対象エリアの明るさとして、上記対象画像の直前の画像を表示したときの当該対象エリアの明るさを参照してもよい。
【００９０】
上記の構成によれば、対象画像を表示する場合の対象エリアの明るさが、当該対象画像の直前の画像を表示したときの当該対象エリアの明るさに応じて決定される。このため、映像のチラつきをより一層抑制することができる。
【００９１】
本発明の態様５に係る表示装置（１）は、上記態様１から４の何れか１態様において、ユーザからの操作を受け付けるユーザ操作受付部（操作受付部３）を更に備え、上記バックライト制御部（１２Ｃ）は、上記ユーザ操作に応じて、上記対象画像を表示する場合の対象エリアの明るさを、当該対象画像の前の画像を表示したときの当該対象エリアの明るさ、及び、当該対象エリアにおける当該対象画像の輝度に応じて決定してもよい。
【００９２】
上記の構成によれば、対象画像を表示する場合の対象エリアの明るさを、当該対象画像の前の画像を表示したときの当該対象エリアの明るさ、及び、当該対象エリアにおける当該対象画像の輝度に応じて決定するか否かを、ユーザが選択できる。
【００９３】
本発明の態様６に係る表示装置（１）は、上記態様１から５の何れか１態様において、ユーザが３Ｄメガネを装着しているか否かを判別する判別部（４）を更に備え、上記バックライト制御部（１２Ｂ）は、上記判別部（４）による判別結果に応じて、上記対象画像を表示する場合の対象エリアの明るさを、当該対象画像の前の画像を表示したときの当該対象エリアの明るさ、及び、当該対象エリアにおける当該対象画像の輝度に応じて決定してもよい。
【００９４】
上記の構成によれば、対象画像を表示する場合の対象エリアの明るさを、当該対象画像の前の画像を表示したときの当該対象エリアの明るさ、及び、当該対象エリアにおける当該対象画像の輝度に応じて決定するか否かを、ユーザが選択する手間を省略できる。
【００９５】
本発明の態様７に係る表示装置（１）は、上記態様６において、上記判別部（４）は、上記３Ｄメガネが上記動画像を立体視可能なオン状態と、上記動画像を立体視不可能なオフ状態とのいずれの状態であるかを示す信号を参照して上記ユーザが上記３Ｄメガネを装着しているか否かを判別してもよい。
【００９６】
上記の構成によれば、判別部は、３Ｄメガネのオン状態またはオフ状態に基づいて、ユーザが３Ｄメガネを装着しているか否かを判別できる。
【００９７】
本発明の態様８に係る表示装置（１）は、上記態様６において、上記判別部（４）は、上記ユーザの画像を参照して上記ユーザが上記３Ｄメガネを装着しているか否かを判別してもよい。
【００９８】
上記の構成によれば、判別部は、ユーザの画像により、ユーザが３Ｄメガネを装着しているか否かを判別できる。
【００９９】
本発明の態様９に係る表示装置（１）は、上記態様１から８の何れか１態様において、上記一連の画像は、ＨＤＲ（High Dynamic Range）規格に準拠した画像であってもよい。
【０１００】
上記の構成によれば、高輝度・高コントラストな動画像を立体視可能になる。
【０１０１】
本発明の態様１０に係るテレビジョン受像機（液晶テレビ１００）は、態様１〜９の何れか１態様に記載の表示装置を備えている。
【０１０２】
上記の構成によれば、態様１と同様の効果を奏する。
【０１０３】
本発明の態様１１に係る表示方法は、一連の画像を表示することによって動画像を表示する表示方法であって、複数のエリアから構成され、当該複数のエリアの明るさを個別に制御可能なバックライトを制御するバックライト制御ステップを包含し、上記バックライト制御ステップは、対象画像を表示する場合の対象エリアの明るさを、当該対象画像の前の画像を表示したときの当該対象エリアの明るさ、及び、当該対象エリアにおける当該対象画像の輝度に応じて決定するステップを含む。
【０１０４】
上記の構成によれば、態様１と同様の効果を奏する。
【０１０５】
本発明の各態様に係る表示装置は、コンピュータによって実現してもよく、この場合には、コンピュータを上記表示装置が備える各部（ソフトウェア要素）として動作させることにより上記表示装置をコンピュータにて実現させる表示装置の制御プログラム、およびそれを記録したコンピュータ読み取り可能な記録媒体も、本発明の範疇に入る。
【０１０６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０７】
１  表示装置
３  操作受付部（ユーザ操作受付部）
４  判別部
１２、１２Ｂ、１２Ｃ  バックライト制御部
２０  バックライト
１００  液晶テレビ（テレビジョン受像機）
【図１】
2018112717.tif 000003
【図２】
2018112717.tif 000004
【図３】
2018112717.tif 000005
【図４】
2018112717.tif 000006
【図５】
2018112717.tif 000007
【図６】
2018112717.tif 000008
【図７】
2018112717.tif 000009
【図８】
2018112717.tif 000010
【図９】
2018112717.tif 000011